(57)【特許請求の範囲】
【請求項１】
容器の開口部を塞ぐ蓋において、
円筒状に成形され、前記容器から引き剥がし可能なコア部材と；
前記コア部材と容器内面との間に配置される環状シール部材とを備え、
前記コア部材は、その円筒内壁に沿って形成された、ミシン目、溝、刻み目、又はノッチからなる脆性構造部を有し、
前記コア部材は、前記脆性構造部に沿って容易に引き離され、又は引き裂かれる構造であり、
前記コア部材は、前記環状シール部材の圧縮シール力が前記容器の内面に対して維持されるように作用する容器用蓋。
【請求項２】
前記脆性構造部は、ヘリカル状又はスパイラル状である請求項１記載の容器用蓋。
【請求項３】
前記コア部材は、プラスチック材によって成形される請求項１又は２に記載の容器用蓋。
【請求項４】
前記プラスチック材は、ポリ塩化ビニル、ナイロン、フルオロカーボン、ポリプロピレンの何れかである請求項３に記載の容器用蓋。
【請求項５】
前記脆性構造部は、前記コア部材の円筒軸方向に延びた少なくとも一対の溝又はミシン目により構成され、
前記脆性構造部によって少なくとも一つのウェブを形成する構造であり、
前記ウェブを前記円筒状コア部材から内側に引っ張り、前記環状シール部材に作用する半径方向の圧力又は圧縮を解放して円筒状コア部材が除去される構成の請求項１記載の容器用蓋。
【請求項６】
前記ウェブを構成する一対の前記溝又はミシン目は、互いに平行ではない請求項５記載の容器用蓋。
【請求項７】
前記環状シール部材と前記コア部材の少なくとも一方に形成され、閉鎖された底部を更に備えている請求項１，２，３，４，５又は６に記載の容器用蓋。
【請求項８】
請求項２に記載の容器用蓋の使用方法であり、
引き剥がし可能な前記コア部材と前記環状シール部材とを有した蓋でシールされる容器を用意する工程と；
前記容器から除去される細長いウェブを形成するように、ヘリカル状又はスパイラル状の前記脆性構造部を引き離す工程と；
前記環状シール部材を前記容器から引っ張り出す工程とを含むことを特徴とする方法。
【請求項９】
容器から前記環状シール部材を引っ張り出す工程は、前記容器から前記コア部材を引っ張り出すことによって行われる請求項８記載の方法。
【請求項１０】
前記脆性構造部によって、ヘリカル状又はスパイラル状に巻かれたウェブ部材を形成する構造であり、
前記ウェブ部材は、当該ウェブを引きはがすために引っ張られる端部を有する請求項２に記載の容器用蓋。
【請求項１１】
前記コア部材は、プラスチック材によって成形される請求項１０に記載の容器用蓋。
【請求項１２】
前記プラスチック材は、ポリ塩化ビニル、ナイロン、フルオロカーボン、ポリプロピレンの何れかである請求項１１に記載の容器用蓋。
【請求項１３】
蓋は、更に、閉鎖された底を有している請求項１０，１１又は１２記載の容器用蓋。
【請求項１４】
請求項２に記載の容器用蓋を除去する方法において、
引き剥がし可能な前記コア部材を有した蓋でシールされる容器を用意する工程と；
前記容器から除去される細長いウェブを形成するように、引き剥がし可能な前記コア部材をヘリカル状又はスパイラル状に引き離す工程とを有する方法。
【請求項１５】
前記容器は、ボトルから構成されている請求項１４記載の方法。
【請求項１６】
容器の開口部を塞ぐ蓋において、
容器内面に接し、当該容器から引き剥がし可能な円筒状部材と；
前記円筒状部材は、その円筒内壁に沿って形成された、ミシン目、溝、刻み目、又はノッチからなる脆性構造部を有し、
前記コア部材は、前記脆性構造部に沿って容易に引き離され、又は引き裂かれる構造であり、
前記円筒状部材は、更に、前記容器の内面に対するシールを形成する滑らかな外面を有する容器用の蓋。
【請求項１７】
前記脆性構造部は、ヘリカル状又はスパイラル状である請求項１６記載の容器用蓋。
【請求項１８】
前記円筒状部材は、プラスチック材によって成形される請求項１６又は１７に記載の容器用蓋。
【請求項１９】
前記プラスチック材は、ポリ塩化ビニル、ナイロン、フルオロカーボン、ポリプロピレンの何れかである請求項１８に記載の容器用蓋。
【請求項２０】
請求項１６の容器用蓋の使用方法において、
前記円筒部材を有する蓋によって密閉される容器を準備する工程と；
前記円筒状部材の端部を軸方向に沿って引き上げることによって、前記脆性構造部に沿って当該円筒状部材をもぎ取る工程とを含むことを特徴とする容器用蓋の使用方法。
【請求項２１】
前記容器は、ボトルから構成されている請求項２０記載の容器用蓋の使用方法。
【請求項２２】
前記脆性構造部は、スパイラル状に成形されている請求項２０又は２１に記載の容器用蓋の使用方法。
【請求項２３】
前記円筒状部材は、当該部材の上部と連結したタブを更に備えている、請求項２０，２１又は２２に記載の容器用蓋の使用方法。
【請求項２４】
前記円筒状部材は、プラスチック材によって成形される請求項２０，２１，２２又は２３に記載の容器用蓋の使用方法。
【請求項２５】
前記プラスチック材は、ポリ塩化ビニル、ナイロン、フルオロカーボン、ポリプロピレンの何れかである請求項２４に記載の容器用蓋の使用方法。
【発明の詳細な説明】
【０００１】
【関連出願】
この出願は、１９９８年１０月２７日に出願された米国特許出願番号第０９／１７９，３０１号に関連されており、また特にその全部の開示内容を取り入れている。
【０００２】
【産業上の利用分野】
本発明は、容器や入れ物の蓋に指向されている。より具体的には、本発明は、容器や入れ物の中身を封入し且つ補助工具を使用せずに容易に除去される容器用及び入れ物用の蓋に指向されている。
【０００３】
【従来の技術】
色々な物が、キャップやストッパー、コルク、プラグ等の蓋を使用して、封入された状態で容器や入れ物にしばしば貯蔵されている。そのような容器や入れ物の中身を取り出すために、蓋は除去されるか、又は破られなければならない。ネジ付きキャップ、又は『ネジで開ける』キャップの場合、人は単にキャップを掴んでネジを弛めればよい。コルク等の蓋は、コルクスクリュウや似た様な装置を使用して一般に除去される。
【０００４】
【発明が解決しようとする課題】
本発明は、補助工具を使用せずに容易に除去される容器用又は入れ物用の蓋を提供するものである。
【０００５】
【課題を解決するための手段】
他の特長や特徴、実施例及び代替例に依れば、本発明は、
その一端を引っ張ることによって引き剥がされるヘリカル状又はスパイラル状に巻かれたウェブ部材から構成された円筒状コア部材と；
該円筒状コア部材を取り囲んだ環状シール部材とから構成されていることを特徴とする容器用蓋を提供する。
【０００６】
本発明は、更に、
環状シール部材と；
該環状シールシール部材内に設けられた引き剥がし可能なコア部材とから構成されていることを特徴とする容器用蓋を提供する。
【０００７】
本発明は、更に、
引き剥がし可能なコア部材と環状シール部材とを有した蓋でシールされる容器を用意する工程と；
容器から除去される細長いウェブを形成するようにヘリカル状又はスパイラル状に、引き剥がし可能な部材を引き離す工程と；
環状シール部材を容器から引っ張り出す工程とから構成されていることを特徴とする容器から蓋を除去する方法を提供する。
【０００８】
本発明は、更に、
その端を引っ張ることで引き剥がされるヘリカル状又はスパイラル状に巻かれたウェブ部材から構成された円筒状コア部材から構成されていることを特徴とする容器用蓋を提供する。
【０００９】
本発明は、更に、
引き剥がし可能なコア部材を有した蓋でシールされる容器を用意する工程と；
容器から除去される細長いウェブを形成するように、引き剥がし可能なコア部材をヘリカル状又はスパイラル状に引き離す工程とから構成されていることを特徴とする容器から蓋を除去する方法を提供する。
【００１０】
【発明の実施の形態】
本発明は、容器や入れ物の中身を封入し且つ補助工具を使用せずに容易に除去される容器用又は入れ物用の蓋に指向されている。本発明の蓋は、それらの構造上の一体性を失い、またそれによって容器又は入れ物から除去されるように設計されている。
【００１１】
本発明の蓋は、色々な環状シール部材を半径方向において支持する円筒状コア部材を有している。円筒状コア部材は、ヘリカル状又はスパイラル状に引き離される引き剥がし可能な又は引き裂き可能な構造から構成されている。一実施例に依れば、円筒状コア部材は、あたかも、それらがヘリカル状又はスパイラル状に巻かれたウェブから造られているかのようにコア部材が引き離されたり、剥ぎ取られたり、又は解されるようにするヘリカル状又はスパイラル状のミシン目や溝や刻み目やノッチや他の弱化された又は脆い構造を含んだ一体的な管状構造と成っている。この点に関して、本発明の円筒状コア部材は、弱化された又は脆い構造によってそれらの縁に沿って結合されているヘリカル状又はスパイラル状に巻かれたウェブとみなされ、（また、ここで説明されている）。円筒状コア部材は、弱化された又は脆いヘリカル状又はスパイラル状の構造を円筒状コア部材の壁に成形したり型押しすることで造られる。
【００１２】
もう一つ別の実施例では、円筒状コア部材は、環状シール部材によって管形状に保持されたヘリカル状又はスパイラル状に巻かれたウェブ要素から構成されている。
【００１３】
本発明の更にもう一つ別の実施例では、円筒状コア部材は、軸方向に延び且つ互いに平行な又は平行でない一対以上の溝やミシン目や他の弱化された又は脆い構造が設けられている。この実施例では、一本以上の長手のウェブ細長片が円筒状コア部材から内側に引っ張られ、環状シール部材に作用する半径方向の圧力又は圧縮を解放して円筒状コア部材が除去されるようにしている。
【００１４】
円筒状コア部材が、本発明の蓋の除去を行うために引き離されたり、剥ぎ取られたり、又は解される方式によって、蓋は、重要な完全要素となる不正使用を明らかにする特徴を生来的に有している。
【００１５】
円筒状コア部材は、ポリ塩化ビニルや、ナイロンや、フルオロカーボンやポリプロピレン等の色々なプラスチック材から造られる。コア部材の円筒形状は、これら部材が大きな半径方向の力がコア部材の周りに均一に分散されるようにしていることで、そのような大きな半径方向の力に耐えたり、支持できるようにしている。かくして、本発明の次の説明から理解されるように、円筒状コア部材は、薄壁化に適しており、それによって、それらはそれらの脆い構造に沿って容易に引き離されたり又は引き裂かれたりする。
【００１６】
環状シールは、円筒状コア部材と、本発明の蓋によって封入される容器又は入れ物の内側との間にシールを与える。環状シール部材は、円筒状コア部材によって容器又は入れ物の内面とのシール関係に圧縮されたり、押圧される。これに関して、本発明の蓋は、従来のコルクやストッパーが、ボトルや似たような容器や入れ物のネックの開口内に押し込められるのと同じ具合に、例えばボトル等の容器又は入れ物の開口内に押し込められる。一旦、本発明の蓋が、容器や入れ物の開口内に押し込められると、円筒状コア部材は、確実に環状シール部材の圧縮シール力が容器又は入れ物の内面に対して維持されるようにしている。
【００１７】
環状シール部材は、円筒状コア部材と容器又は入れ物の内面との間にシールを造り出すように十分に圧縮可能な適当ないずれかの材料から構成される。環状シール部材を造るのに適した部材は、コルクやブナゴム、ブチル−ニトリルゴム、クロロスルホン化ポリエチレン、ゴム充填コルク、ＥＮＢＲ、ＥＰＤＭ、ＥＰＲ、エチレンアセテート共重合体、ヴィコン等のフルオロカーボン重合体、ヒドリンゴム(hydrin rubbers)、水素化ニトリルゴム、ニトリルゴム、天然ゴム、ネオプレンコム、ポリアクリ酸塩、ポリノルボルネン(polynorborene)、ポリウレタン、シリコン、スチレンブタジェンゴム、テフロン及び類似物を含んでいる。本発明の一実施例に依れば、環状シール部材は、コルクから造られており、また従来のワインコルクの外観を有している。
【００１８】
本発明の一実施例に依れば、円筒状コア部材が容器や入れ物から引き離されたり、引き剥がされたり、又は解されたりして、除去されると、環状シール部材が容器や入れ物から除去されるように、環状シール部材は円筒状コア部材に結合されたり、又は部分的に結合されるようになっている。本発明のもう一つ別の実施例に依れば、環状シール部材は、円筒状コア部材に結合されておらず、その結果円筒状コア部材は、環状シール部材とは無関係に容器や入れ物から引き離されたり、引き剥がされたり、又は解されたりして、除去されることになる。この実施例では、環状シール部材は、一旦それらが（除去された）円筒状コア部材によって最早半径方向に支持されなくなると、容易に除去される。
【００１９】
円筒状コア部材への環状シール部材の結合は、適当な接着剤や熱接着を使用して、又は円筒状コア部材の外表上にコーティングされる樹脂材やエラストマー材又はポリマー材から環状シール部材を造ることによって達成される。
【００２０】
本発明を、非限定的な例によってのみ与えられている添付図を参照にして以下に説明する。
図１は、本発明の一実施例に係る蓋の横断面図である。図１において、蓋は、ボトル１のネックに配置されているものとして描かれている。蓋は、円筒状コア部材２と環状シール部材３とを有している。図１に描かれているように、環状シール部材３は、ボトル１の内面４と円筒状コア部材２との間に配置されている。シール部材３は、好ましくは、ボトル１の内面４と円筒状コア部材２との間で圧縮されており、それらの間にシールを与えている。円筒状コア部材２は、参照番号５によって一般に示されているヘリカル状又はスパイラル状のミシン目や、溝や、他の弱化又は脆い構造を有している。この脆い構造５は、円筒状コア部材があたかもヘリカル状又はスパイラル状に巻かれたウェブであるかのようにそれらが引き離されるようにする（図２に描かれているように）。
【００２１】
図１に描かれている本発明の実施例では、蓋は環状シール部材３と一体となった底６を有している。更に、この実施例では、蓋には円筒状コア部材２と一体となったカバー又は頂部７が設けられている。頂部７は、掴まれてボトル１の口部から持ち上げられ、円筒状コア部材２を引き離し、引き剥ぎ、又は解すために使用される。頂部７は、人がボトル１の口部から頂部７を持ち上げられるようにするミシン目付きタブ８や、開口や、他の構造を有することができる。頂部７は、ボトル１の口部に嵌合して図示されているが、ボトルの口部の上方に延びた頂部や、ボトルの側面に部分的にかぶさるように拡がったものを使用できる。
【００２２】
本発明の一実施例に依れば、円筒状コア部材２は、その円筒状コア部材２を造り上げているヘリカル状又はスパイラル状に巻かれたウェブの先端を掴んで環状シール部材３から除去され、分離される。図１に描かれた本発明の実施例では、蓋の頂部７は、ヘリカル状又はスパイラル状に巻かれたウェブの先端に９の個所で接続されている。一旦、円筒状コア部材２が除去されると、環状シール部材３上に円筒状コア２を維持していたいずれの圧縮力も解放され、また環状シール部材３は、殆ど抵抗無しにボトル１の口部から引っ張り出される。
【００２３】
図１に描かれている本発明の実施例では、タブ１０が環状シール部材３の底に結合されており、ボトル１の口部から環状シール部材を引っ張るために使用される。タブ１０は、環状シール部材３の開口端に向かって延びるのに十分な硬さを持った細長片か、又はコードから構成されている。そうでない場合は、タブ１０は、硬くない紐とか、コード等とでき、その場合、円筒状コア部材２を引っ張ったり、引き剥いだり、解す作業は、タブ１０が環状シール部材３の開口端に向かって引っ張られ、またその外に引っ張られるようにするであろう。
【００２４】
タブ１０は、底６を貫通したアンカー部材１１によって環状シール部材３の底６にアンカーされて描かれている。タブ１０を底にアンカーしたり結合したりする他の方式も使用され、タブ１０を環状シール部材３の底６に接着したり、又はタブ１０を環状シール部材３の底６に着床させることもできよう。
【００２５】
図１に描かれた本発明の実施例では、蓋の底は、円筒状コア部材２の最下点１３より上方に上り坂になったテーパ部分１２を有している。この構成で、確実に環状シール部材３上の全ての圧縮力が、一旦円筒状コア部材２が環状シール部材から除去されると、解放されるようにしている。テーパ部分１２の使用は、環状シール部材３上の全ての圧縮力を実質的に無くするのに役立っているが、一旦円筒状コア部材２が除去された際に環状シール部材３の容易な除去を防止するためにテーパ部分１２を無くしても、環状シール部材３の底６に作用する十分な圧縮力が存在しないと言う事とが確定されていた。
【００２６】
図１に描かれたものと類似した代替実施例では、円筒状コア２の下部が、適当な接着剤か糊等によって環状シール部材３に結合される。この実施例では、円筒状コア部材２の底部が、環状シール部材３から引っ張り出されたり、引き剥がされたり、又は解されると、円筒状コア部材２の結合された下部が、ボトル１の口部から環状シール部材３を引き出して除去することになり、結果的にタブ１０は必要とされなくなる。
【００２７】
図１に描かれた本発明の実施例と、円筒状コア部材２が環状シール部材３から独立して除去可能な類似実施例においては、円筒状部材を（除去された）環状シール部材３の中心部に単に挿入し、このように補強された環状シール部材３をボトル１の開口内に再挿入することにより、ボトル１が再シール可能となっている点が注目される。
【００２８】
上述のように、環状シール部材は、コルクを含んだ色々な材料から造られる。コルクの使用は、本発明の蓋に従来のコルク蓋の外観を与えることになり、このことは、ワインの封入に本発明の蓋を使用する時に望ましいであろう。本発明の蓋は、蓋の外観をよくし、またボトルや容器や入れ物等に収容された製品の市場を高めるラベルやシールで被覆される。そのようなラベルは、更に取り扱いに関する、即ち蓋の除去に関する絵入りの指示を含むことができる。
【００２９】
図２は、図１の蓋の部分斜視図であり、蓋を除去するためにどのように円筒状コア部材が引き離されたり、引き剥がされたり、又は解されるのかを描いている。図２では、円筒状コア部材２の上部は、引き離されたり、引き剥がされたり、又は解されて描かれており、結果的に、そうでない場合には弱化された又は脆い構造によって巻かれた状態に維持されている円筒状コア部材２のウェブ１４が解された状態で見受けられている。矢印「ａ」は、ウェブ１４の先端が円筒状コア部材２を環状シール部材３から除去するために引っ張られる方向を示している。図２では、環状シール部材２の下部は、適当な接着剤１５によって環状シール部材３に結合されており、その結果、環状シール部材３からウェブ１４の後端部を引っ張ることで環状シール部材３の除去を行うことになる。ウェブ１４の先端は、図１に描かれているカバーや頂部７に結合される必要が無い点に注目される。一つの代替実施例では、ウェブ１４の先端は、単に半径方向内側に延びるか、又は掴まれて、円筒状コア部材２を除去するために引っ張られる半径方向内側に向けられたタブを有することができる。そのような構造は、ボトルや容器や入れ物の口部内に又はその上方に配置される別のカバー又はラベルによって覆われる。
【００３０】
図３は、本発明に係る蓋の代替実施例の横断面図である。図３に描かれた本発明の実施例では、タブ１０は、環状シール部材３に形成された溝１７に構造的に結合されたアンカー構造１６によって環状シール部材３の底６に結合される。この実施例では、タブ１０は、アンカー構造１６に結合されている。この実施例では、アンカー構造１６は、円盤又は適当ないずれかの形状を成した構造から構成される。
【００３１】
図４は、本発明に係る蓋の更に別の代替実施例の横断面図である。図４に描かれた本発明の実施例では、蓋の底６は、頂部７が環状シール部材の上部に結合するか仕方（図１にも描かれている）に類似した方式で、円筒状コア部材２の下部に、又はウェブ１４の後端に一体的に形成されている。この実施例では、蓋の底６は、円筒状コア部材２が引き離されたり、引き剥がされたり、又は解された後に、またウェブ１４の後端がボトル１の口部から引き出されると除去されることに成る。この実施例では、接着材１５が、円筒状コア２の下部に用意されていて、上述のように環状シール部材３の除去を行う。
【００３２】
図５は、本発明に係る蓋の更に別の代替実施例の横断面図である。図５に描かれた本発明の実施例は、図４に描かれたものに類似しており、相違は、図５では環状シール部材３が円筒状コア部材２の底６の下方に延びた底６’を有している点である。この実施例では、接着層１５が環状シール部材３の底と円筒状コア部材２の底との間に設けられており、その結果、円筒状コア部材２の底が除去されると、即ちボトル１の口部から引き離されると、環状シール部材３も除去されることになる。
【００３３】
図６は、本発明に係る蓋の更に別の代替実施例の横断面図である。図６の蓋は、上述のものと同じ円筒状コア部材２と、円筒状コア部材２の外周面に結合された環状シール部材３とを有している。例えば、本発明のこの実施例では、環状シール部材３は、円筒状コア部材２の外周面上にコーティングされる樹脂材、エラストマー材、又はポリマー材から構成される。そのようなコーティングは、円筒状コア部材２を硬化していない樹脂やポリマー合成材に浸し、その後にそれを硬化させて円筒状コア部材２に接合された圧縮可能なシールエレメントを形成することで達成される。この実施例では、円筒状コア部材２が引き離されたり、引き剥がされたり、又は解されると、それに接着された環状シール部材３も引き離されたり、引き剥がされたり、又は引き裂かれて、除去されることに成る。この実施例で環状シール部材３を造っている適当な材料は、上でリストアップされたものを含んだ重合可能な、硬化可能な、又は成形可能な材料と、シールを形成する目的に十分に圧縮可能な特性を顕示し且つ比較的適度な剪断力によって引き裂かれる類似材料とを含んでいる。これら材料は、浸漬、スプレー、はけ塗り等を含んだ従来のコーティング技術によって施工される。ヘリカル状又はスパイラル状のミシン目や、溝や、他の弱化された又は脆い構造を環状シール部材３上に又はそれらに形成し、それによって、さもなければ引き離されたり、引き剥がされたり、又は引裂されたりしにくいシール材も使用することができる。
【００３４】
図７は、本発明に係る蓋の更に別の代替実施例の横断面図である。図７において、円筒状コア部材２の側面から引き剥がされたり、又は引き離されるウェブ１６を構成する一対の脆性構造部５’が円筒状コア部材２に設けられている。この実施例では、引っ張りタブ１０’は、ウェブ１６の底に接続され、それが底から引っ張り上げられるようになっている。ウェブ１６の側縁のテーパは、それが円筒状コア部材の側面から引裂されるに従い、徐々に半径方向の力を解放可能となっている。
【００３５】
図８は、本発明に係る蓋の更に別の代替実施例の横断面図である。図８に描かれている本発明の実施例では、環状シール部材は、省かれている。環状シール部材を組み込む代わりに、図８に描かれた本発明の実施例は、円筒状コア部材２を有しており、ヘリカル状又はスパイラル状のミシン目や溝や他の弱化された又は脆性構造部が、円筒状コア部材２の内側に形成されている。円筒状コア２の内側又は内面にヘリカル状又はスパイラル状のミシン目や溝や他の弱化された又は脆性構造部を形成することにより、滑らかな外面を有することででき、それによって、円筒状コア２自体で（環状シール部材無しで）ボトル１の内面４に対するシールを行うことができる。
【００３６】
図８に描かれている本発明の実施例は、必要に応じて底６内部に延びることができる図７に描かれたものに類似したミシン目や、溝や、他の弱化された又は脆い構造を有することができる点に注目される。更に、円筒状コア部材２の外面にシール作用を助ける補助の手ざわりの残る面構造を用意することも可能である。
【００３７】
本発明の蓋は、限定はされないがワイン及び他の飲料、医療及び実験用物、食料品等を含んだ色々な成品と組み合わせて使用される。環状シール部材３を造っている材料は、例えば無毒で無反応で不活性等の所望の用途と両立できるべきである。同様に、円筒状コア部材２を造っている材料は、所望の用途と両立できるべきである。
【００３８】
本発明の蓋は、コルクやストッパーや類似した蓋をボトルや容器や入れ物内に圧縮し押し込める従来の瓶詰め技術と両立可能である。
【００３９】
本発明の蓋の重要な長所は、それらがコルクスクリュー等の補助工具を必要とせずに除去される点である。かくして、例えばワイン等の本発明の蓋によって封入されシールされる製品は、コルクスクリュー等の開口工具が入手できないようなピクニックや、他のイベントや場所で容易に開放される。本発明の蓋は、従来のワインのコルクの外観を持つように製造され、かくしてコルクの使用を減らすことに加えて、ワイン消費者によって容易に受け入れられると信じられている。
【００４０】
安全性に関連した本発明の蓋のもう一つ別の長所は、円筒状コア部材が引き離されたり、引き剥がされたり、又は解されて、本発明の蓋の除去を行う方式によって、蓋は重要な安全上の要素となる生来的な不正使用を明らかにする特性を有している点である。
【００４１】
本発明は、上記説明からの特定の手段、材料及び実施例を参照にして説明して来たが、当業者は、本発明の基本的特性を容易につきとめることができ、また色々な変更や改造は、特許請求の範囲に記載されている本発明の精神及び技術的範囲から逸脱しない限り色々な用途や特徴を適合化させるために行われる。
【図面の簡単な説明】
【図１】  本発明の一実施例に係る蓋の横断面図である。
【図２】  円筒状コア部材が蓋を除去するためにどのように引き離されたり、引き剥がされたり、又は解されるのかを描いている図１の蓋の部分斜視図である。
【図３】  本発明に係る蓋の代替実施例の横断面図である。
【図４】  本発明に係る蓋の更に別の代替実施例の横断面図である。
【図５】  本発明に係る蓋の更に別の代替実施例の横断面図である。
【図６】  本発明に係る蓋の更に別の代替実施例の横断面図である。
【図７】  本発明に係る蓋の更に別の代替実施例の横断面図である。
【図８】  本発明に係る蓋の更に別の代替実施例の横断面図である。
【図１】
0003893143.tif 000002
【図２】
0003893143.tif 000003
【図３】
0003893143.tif 000004
【図４】
0003893143.tif 000005
【図５】
0003893143.tif 000006
【図６】
0003893143.tif 000007
【図７】
0003893143.tif 000008
【図８】
0003893143.tif 000009